(57)【要約】【課題】  遊技盤が出射面から光を出射する導光板を備えることにより、演出効果の向上を実現することが可能な遊技機を提供すること。【解決手段】  遊技機１００は、遊技機１００全体の構成を実現する本体枠１と、遊技領域を形成する遊技盤２と、遊技盤２の中央部分に取り付けられた図柄表示装置３と、始動入賞口４と、発射レバー５とを備えている。遊技盤２は、側部に取り付けられた光源６が発光し側部から内部に入射した光が導光板である遊技盤２内部を透過して、背面側に設けられた反射板７を反射し出射面、即ち正面から出射するようになっている。遊技を盛り上げる演出が行われると同時に光源６が発光し、光源６から発光され遊技盤２内部に入射した光が、遊技盤２内部を透過または内面を反射して、更に、反射板７を反射し遊技盤２の出射面から出射され、遊技盤２からも光が出射されて明るくなる演出が行われる。【選択図】  図２
2007014607.tif 000002
【特許請求の範囲】
【請求項１】
遊技領域を形成する遊技盤の正面上を遊技媒体が流下する遊技機において、
前記遊技盤は、
内部に入射した光を出射面から出射する導光板と、
前記導光板の背面側に設けられた反射板と、
前記導光板の出射面上の所定の箇所に配設され、前記遊技媒体の流下軌道を案内する突出部と、
前記導光板内部に入射する光を発光する光源と、を備えていることを特徴とする遊技機。
【請求項２】
遊技者の発射手段の操作に応じて発射された遊技球が、遊技領域を形成する遊技盤正面上を流下し、図柄を変動表示させるための始動入賞口に入賞して大当たりとなった場合に所定の遊技価値を付与可能な遊技機において、
前記遊技盤は、
内部に入射した光を正面から出射する導光板と、
前記導光板の背面側に設けられた反射板と、
前記導光板の正面上の所定の箇所に配設され、前記遊技球の流下軌道を案内する突出部と、
前記導光板内部に入射する光を発光する光源と、を備えていることを特徴とする遊技機。
【請求項３】
遊技者により投入されたコインが、遊技領域を形成する遊技盤正面上を流下し、前記遊技盤の下部で前後移動する移動台と前記移動台の前側にランダムに配置された複数のコインとの間に介在するように位置した場合に、この投入されたコインを介して前記複数のコインを前記移動台が落下口に落下させ遊技者に付与するようにした遊技機において、
前記遊技盤は、
内部に入射した光を正面から出射する導光板と、
前記導光板の背面側に設けられた反射板と、
前記導光板の正面上の所定の箇所に配設され、前記投入されたコインの流下軌道を案内する突出部と、
前記導光板内部に入射する光を発光する光源と、を備えていることを特徴とする遊技機。
【請求項４】
請求項１乃至３に記載の遊技機において、
前記光源は、
Ｒ、Ｇ、Ｂのそれぞれの光を発光する各ＬＥＤと、
各ＬＥＤへ入力される電流値を可変可能に制御する電流制御回路と、を備え、前記電流制御回路が当該電流値を制御することにより各ＬＥＤが発光する光の光量が変化し、各ＬＥＤ全体から複数色の光を発光することができることを特徴とする遊技機。
【請求項５】
請求項１乃至４に記載の遊技機において、
前記遊技盤は、前記導光板の正面側に画像を液晶表示する液晶表示パネルを備えていることを特徴とする遊技機。
【請求項６】
遊技領域を形成する遊技盤の正面上を遊技媒体が流下する遊技機において、
前記遊技盤は、
遊技領域を形成する板状部材と、
前記板状部材上の一部の領域に設けられた内部に入射した光を出射面から出射する導光板と、
前記導光板の背面側に設けられた反射板と、
前記導光板内部に入射する光を発光する光源と、を備えていることを特徴とする遊技機。
【請求項７】
遊技領域を形成する遊技盤を備えた遊技機において、
前記遊技盤は、
内部に入射した光を出射面から出射する導光板と、
前記導光板の背面側に設けられた反射板と、
前記導光板の出射面上の所定の箇所に配設され、前記遊技媒体の流下軌道を案内する突出部と、
前記導光板内部に入射する光を発光する光源と、を備えていることを特徴とする遊技機。
【請求項８】
遊技領域を形成する遊技盤と、前記遊技盤と一体構成となる本体枠とを備え、前記遊技盤の正面上を遊技媒体が流下する遊技機において、
前記遊技盤は、
内部に入射した光を出射面から出射する第１の導光板と、
前記導光板の背面側に設けられた第１の反射板と、
前記導光板の出射面上の所定の箇所に配設され、前記遊技媒体の流下軌道を案内する突出部と、
前記第１の導光板内部に入射する光を発光する第１の光源と、を備え、
前記本体枠は、
前記遊技盤が一体構成された領域以外の正面側表面に設けられた第２の導光板と、
前記導光板の背面側に設けられた第２の反射板と、
外縁部分に沿って配列されて設けられ前記第２の導光板内部に入射する光を発光する第２の光源と、を備えていることを特徴とする遊技機。
【発明の詳細な説明】
【技術分野】
【０００１】
本発明は、遊技領域を形成し、遊技媒体の流下軌道を案内する釘若しくは突出部が正面上の所定の箇所に配設された遊技盤の正面上を遊技媒体が流下する遊技機に関する。
【背景技術】
【０００２】
従来より、遊技者により操作手段が操作されたことに応じて、遊技球が遊技領域内に発射されて流下し、この遊技領域内に設けられた始動入賞口に入賞すると図柄表示装置が作動して表示画面に表示された図柄が変動する遊技機においては、図柄の変動に応じて表示画面の図柄以外の部分でキャラクタが動いて表示されるアニメーションや図柄の変動を装飾する表示等がされ、図柄が変動した結果、複数の図柄が揃う大当たりとなった場合には所定のボーナスチャンスなどの遊技価値が付与されるようになっている。また、図柄表示装置に始動入賞口のスイッチを備えることにより、始動入賞口からスイッチを取り除き小型化し、遊技盤での占有面積を小さくした結果、遊技盤に釘をより多く植設することができ、遊技領域での遊技球の動きに、より一層変化をもたせることができ、遊技者の興趣性の向上を図ることが可能な遊技機が従来技術として提案されている（例えば、特許文献１参照。）。
【０００３】
【特許文献１】特開２００５−２１３８７号公報（第３頁、第４２図）
【発明の開示】
【発明が解決しようとする課題】
【０００４】
しかしながら、上述のような従来の遊技機においては、始動入賞口に遊技球が入賞すると、図柄表示装置が作動し、数字等の識別情報を表した図柄の変動に応じてキャラクタが動いて表示されるアニメーションや図柄の変動を装飾する表示等がされて、遊技者はこれを鑑賞して遊技をより楽しむことができるが、遊技球が始動入賞口に入賞しないときは遊技球が流下する動きを見る以外には遊技盤等に描かれた絵柄や装飾物等を見て楽しむこととなっていた。そして、これらの遊技盤等に描かれた絵柄や装飾物は、図柄表示装置の表示画面と違い、動いたり変化することが無いため、固定されて変化しないものを長時間見ることとなり、飽きが生じることになっていた。
【０００５】
また、特許文献１に記載された遊技機においても、釘がより多く植設されて遊技球が一層変化に富んだ動きをするが、遊技盤等に描かれた絵柄や装飾物には、何も変化が生じないため遊技者が長時間にわたってこれらを見ると同様に飽きが生じることとなっていた。
【０００６】
本発明は、このような問題を鑑みてなされたものであり、その目的とするところは、遊技盤が出射面から光を出射する導光板を備えることにより、演出効果の向上を実現した遊技機を提供することを目的とする。
【課題を解決するための手段】
【０００７】
上記目的を達成するために、本発明は、遊技領域を形成する遊技盤の正面上を遊技媒体が流下する遊技機において、前記遊技盤は、内部に入射した光を出射面から出射する導光板と、前記導光板の背面側に設けられた反射板と、前記導光板の出射面上の所定の箇所に配設され、前記遊技媒体の流下軌道を案内する突出部と、前記導光板内部に入射する光を発光する光源と、を備えていることを特徴とするようにした。
【０００８】
このような発明においては、光源が発光し導光板内部に入射した光は、反射板を反射して導光板の出射面から出射するので、遊技盤等に描かれた絵柄や装飾物等と比較して変化に富んだ演出を行うことができ、遊技者に対する演出効果の向上を図ることができる。
【０００９】
また、本発明に係る他の遊技機は、遊技者の発射手段の操作に応じて発射された遊技球が、遊技領域を形成する遊技盤正面上を流下し、図柄を変動表示させるための始動入賞口に入賞して大当たりとなった場合に所定の遊技価値を付与可能な遊技機において、前記遊技盤は、内部に入射した光を正面から出射する導光板と、前記導光板の背面側に設けられた反射板と、前記導光板の正面上の所定の箇所に配設され、前記遊技球の流下軌道を案内する突出部と、前記導光板内部に入射する光を発光する光源と、を備えていることを特徴とする。
【００１０】
このような発明においては、遊技球が遊技盤正面上を流下する遊技機において光源が発光した光が導光板の出射面から出射するので、遊技盤等に描かれた絵柄や装飾物等と比較して変化に富んだ演出を行うことができ、遊技者に対する演出効果の向上を図ることができる。
【００１１】
更に、本発明に係る他の遊技機は、遊技者により投入されたコインが、遊技領域を形成する遊技盤正面上を流下し、前記遊技盤の下部で前後移動する移動台と前記移動台の前側にランダムに配置された複数のコインとの間に介在するように位置した場合に、この投入されたコインを介して前記複数のコインを前記移動台が落下口に落下させるようにした遊技機において、前記遊技盤は、内部に入射した光を正面から出射する導光板と、前記導光板の背面側に設けられた反射板と、前記導光板の正面上の所定の箇所に配設され、前記投入されたコインの流下軌道を案内する突出部と、前記導光板内部に入射する光を発光する光源と、を備えていることとした。
【００１２】
このような発明においては、遊技者により投入されたコインが遊技盤正面上を流下する遊技機において光源が発光した光が導光板の出射面から出射するので、遊技盤等に描かれた絵柄や装飾物等と比較して変化に富んだ演出を行うことができ、遊技者に対する演出効果の向上を図ることができる。
【００１３】
上述の遊技機において、前記光源は、Ｒ、Ｇ、Ｂのそれぞれの光を発光する各ＬＥＤと、各ＬＥＤへ入力される電流値を可変可能に制御する電流制御回路と、を備え、前記電流制御回路が当該電流値を制御することにより各ＬＥＤが発光する光の光量が変化し、各ＬＥＤ全体から複数色の光を発光することができてもよい。このような構成により、光源が発光した複数色の光が導光板の出射面から出射するので、より変化に富んだ演出を行うことができ、遊技者に対する演出効果の向上を図ることができる。
【００１４】
また、上述の遊技機において、前記遊技盤は、前記導光板の背面側に前記反射板の代わりに画像を液晶表示する液晶表示パネルを備えることも可能である。このような構成により、光源が発光した光が導光板の出射面から出射すると共に導光板を通して液晶表示パネルに画像が表示されるので、更に変化に富んだ演出を行うことができ、遊技者に対する演出効果の向上を図ることができる。
【００１５】
更に、遊技領域を形成する遊技盤の正面上を遊技媒体が流下する遊技機において、遊技領域を形成する板状部材と、前記板状部材上の一部の領域に設けられた内部に入射した光を出射面から出射する導光板と、前記導光板の背面側に設けられた反射板と、前記導光板内部に入射する光を発光する光源と、を備えていても良い。
【００１６】
このような構成により、板状部材上の一部の領域に導光板を設けた場合においても、光源が発光し導光板内部に入射した光が導光板の出射面から出射するので、変化に富んだ演出を行うことができ、遊技者に対する演出効果の向上を図ることができる。
【００１７】
また、本発明に係る他の遊技機は、遊技領域を形成する遊技盤を備えた遊技機において、前記遊技盤は、内部に入射した光を出射面から出射する導光板と、前記導光板の背面側に設けられた反射板と、前記導光板の出射面上の所定の箇所に配設され、前記遊技媒体の流下軌道を案内する突出部と、前記導光板内部に入射する光を発光する光源と、を備えていることを特徴とする。
【００１８】
このような発明においては、光源が発光し導光板内部に入射した光は、反射板を反射して導光板の出射面から出射するので、遊技盤等に描かれた絵柄や装飾物等と比較して変化に富んだ演出を行うことができ、遊技者に対する演出効果の向上を図ることができる。
【００１９】
本発明に係る他の遊技機は、遊技領域を形成する遊技盤と、前記遊技盤と一体構成となる本体枠とを備え、前記遊技盤の正面上を遊技媒体が流下する遊技機において、前記遊技盤は、内部に入射した光を出射面から出射する第１の導光板と、前記導光板の背面側に設けられた第１の反射板と、前記導光板の出射面上の所定の箇所に配設され、前記遊技媒体の流下軌道を案内する突出部と、前記第１の導光板内部に入射する光を発光する第１の光源と、を備え、前記本体枠は、前記遊技盤が一体構成された領域以外の正面側表面に設けられた第２の導光板と、前記導光板の背面側に設けられた第２の反射板と、外縁部分に沿って配列されて設けられ前記第２の導光板内部に入射する光を発光する第２の光源と、を備えていることを特徴とする。
【００２０】
このような発明によれば、光源が発光した光は、遊技盤だけでなく本体枠の導光板の出射面からも出射するので、より遊技者に対する演出効果の向上を図ることができる。
【発明の効果】
【００２１】
以上のように本発明の遊技機は、遊技盤が出射面から光を出射する導光板を備えることにより、従前にはない演出効果の向上を実現することが可能であるという効果を有する。
【発明を実施するための最良の形態】
【００２２】
以下、本発明を実施するための最良の形態について図面を用いて詳細に説明する。図１は、本発明に係る遊技機１００の構成を示す説明図である。本発明に係る遊技機１００は、各部品が取り付けられて遊技機１００の外枠を構成する本体枠１と、本体枠１の内側に嵌め込まれ遊技領域を形成する遊技盤２と、遊技盤２の中央部分に取り付けられ数字等の識別情報を変動表示可能な図柄表示装置３と、この図柄表示装置３を動作させるための始動入賞口４と、本体枠１の下部に設けられた発射レバー５とを備えている。
【００２３】
本体枠１は、例えば縦長の長方形状に成形され、各部品が取り付けられて遊技機１００全体の構成を実現し、遊技店の複数種類の遊技機が並ぶ遊技台に設置されるものである。その背面側には、図示しない始動入賞口４への遊技球の入賞に応じて図柄表示装置３を作動させたり、大当たりでの動作を実行させるためのプログラムを記憶したＲＯＭやこのプログラムに基づいて実行を行うＣＰＵ等を搭載した基板が収納された収納ボックスを備えている。
【００２４】
また、本体枠１の正面側には、遊技盤２を嵌め込むための開口部分の他、遊技盤２の周囲を装飾するためのプラスチック等を成形した部材や遊技の際に排出された遊技球を収納する受け皿等が設けられており、更に遊技盤２を開口部分に嵌め込み図示しない固定機構により固定した後遊技盤２の正面側を覆うガラス板を備えている。このガラス板は、例えば一側辺が本体枠１の一側部に回動可能に軸支されており、この一側辺を中心に回動させて開閉し開口部分を密閉したり、開放して遊技盤２の嵌め込みおよび固定機構による固定等を行えるようになっている。
【００２５】
遊技盤２は、その正面上に遊技領域が形成され遊技媒体である遊技球が正面上を流下するように構成された板状部材であって、本体枠１の内側に嵌め込み図示しない固定機構により本体枠１の内側に固定されている。遊技盤２は、正面上の遊技領域に図柄表示装置３や始動入賞口４、また、流下し転動する遊技球の流下軌道を適宜分散、調整等して案内する釘８、遊技領域を装飾し遊技球の流下軌道を変化させる風車等の各種部材が設けられている。その他に、下側部分にはアウト口が設けられており、始動入賞口４に入賞しなかった遊技球はこのアウト口を通って図示しない球排出路の方へと案内されるようになっている。
【００２６】
また、遊技盤２は、無色透明または有色透明な厚板状のアクリル、ポリカーボネート（ＰＣ）、ＰＥＴ、ＰＭＭＡ等の光透過性に優れたプラスチック材料等の素材の導光板から成る厚さ５ｍｍ程度またはそれ以上の板状部材であり、特に釘８を打設し易くさせ、且つ遊技中は当該釘８を確実に保持するために多少のエラストマーの如き軟化剤を含んだ構成とされる。この遊技盤２は、図２に示すように、側部に取り付けられた光源６が発光し側部から内部に入射した光が導光板である遊技盤２内部を透過して、背面側に設けられた反射板７を反射し出射面、即ち正面から出射するようになっている。
【００２７】
更に、遊技盤２は、背面に複数の四角錐状の凹部２１が所定の配列パターンに従って設けられている。これらの凹部２１は、遊技盤２の背面を、傾斜面を成すように削り取り４角錐状に穿設して形成されており、例えば、図３に示すように、遊技盤２の背面の所定の箇所を４方向から遊技盤２の背面に対して傾斜させて傾斜面を成すように削り取り、それらの傾斜面が背面から一定の深さの位置でＡの角度で収束するように穿設して形成されている。角度Ａとしては、６０度等が挙げられる。また、図３に示すように、遊技盤２の背面に複数の凹部２１が遊技盤２の円形の平面形状に応じてマトリクス状の配列パターンに従って配列されて設けられている。
【００２８】
光源６は、遊技盤２の両側部に設けられ、赤、青、緑、白色等の光を発光する単数または複数のＬＥＤや半導体レーザ、電球、または、複数のＬＥＤを配列したＬＥＤアレイ等の光源であり、発光した光が遊技盤２の両側部から内部に入射するように発光部分が遊技盤２の側部に対向または密接するようにして取り付けられている。光源６は、その発光時に入力される電流値が変化可能に構成された複数のＬＥＤであり、電流値を変化させることにより発光される光の光量を変化させて複数色の光を発光することができるフルカラーＬＥＤであっても良い。
【００２９】
このようなフルカラーＬＥＤは、例えばＲ（赤）、Ｇ（緑）、Ｂ（青）の三色の光を発光するＬＥＤを備え、それぞれのＬＥＤへの電流値が可変抵抗等により実現される電流制御回路で可変可能に制御され各ＬＥＤが発光する光の光量が変化し、各ＬＥＤ全体から発光される光の混合色が自在に変化して複数色の光を発光することができる（例えば特開平８−２５０７７１号公報参照。）。フルカラーＬＥＤ全体として赤色を発光させたい時は、Ｒ（赤）のＬＥＤのみに通電し、他のＬＥＤには通電しない。全体として緑色あるいは青色を発光させたい時は、同様に、Ｇ（緑）のみあるいはＢ（青）のみに通電する。フルカラーＬＥＤ全体としてその他の色を発光させたい時は、各ＬＥＤへの通電量を制御することにより、３原色の光の混合を行ない、全体として目的の色とする。
【００３０】
なお、このようなフルカラーＬＥＤを光源６とする場合には、光源６の発光部分を覆う光透過性を有するカバー部を、全くの有色透明または無色透明なものでなく、乳白色のプラスチック材料等のように光をぼかす材質のものを用いると、フルカラーＬＥＤで発光される光の混合が良好に行われる。また、このカバー部に用いる光をぼかす材質のものとして、乳白色の合成樹脂を用いた板部材に、例えば表面上に光拡散材として細孔径が２〜３０ｎｍであり且つ細孔容積が０．３〜３ｍｌ／ｇであるシリカ系材料から成るビーズを一定の分布率で印刷したものを用いても良い。この場合には背面からフルカラーＬＥＤから発光された光が入射すると、ビーズに向かい方向が変えられ拡散される。この際に、拡散された細かい光がより混ざり合い易くなり光の混合が良好に行われる。更に、乳白色の合成樹脂に、光拡散材として上述のビーズを乳白色の合成樹脂に練りこみ、板部材として成形させたものであっても良い。
【００３１】
反射板７は、遊技盤２の背面に対応した形状を有しており、白色の顔料が塗布され光反射性が優れており、または、アルミニウム等の光反射性に優れた金属を蒸着したフィルム等により構成されている。遊技盤２内部に入射した光を反射させて出射面、即ち正面から出射させるようになっている。
【００３２】
釘８は、図３に示すように、遊技盤２の出射面上の所定の複数の箇所に、打設孔の周囲にひび割れや破損を生じることなく確実に打設されている。そして、それらが列をなしたり一定間隔で分布されて打設されることにより遊技球の流下軌道を適宜分散、調整等して案内するようになっている。本明細書においては、釘８は、広い意味で用いるものであり、例えばネジ、ボス、突設体、その他の遊技球、コイン等を案内する機能を有する部材を含むものとする。
【００３３】
図柄表示装置３は、遊技球が始動入賞口４に入賞したことに応じてその表示画面に表示された３つの図柄を縦にスクロールさせて例えば数字の図柄を１つずつ順番に変更させていき変動表示を行う機能を有している。変動表示した結果、停止表示された３つの図柄が全て同一の数字等となり揃った場合には、大当たりとなって所定の遊技価値が遊技者に付与されるようになっている。
【００３４】
始動入賞口４は、内部に図柄表示装置３に接続された入賞検出スイッチが内蔵されており、遊技球が始動入賞口４に入賞するとこの入賞検出スイッチに当接して入賞したことが検出されるようになっている。また、始動入賞口４には、上部に遊技球を入賞しやすくする開状態と入賞し難くする閉状態との２つの状態に変化する１対の羽根形状の可動部材が設けられており、この１対の可動部材は、一定の条件を満たした場合に開状態となる。
【００３５】
発射レバー５は、遊技者により操作されたことに応じて遊技球を遊技領域内に発射させる機能を有する。発射レバー５は、例えば本体枠１に対して回動自在に設けられており、遊技者は発射レバー５を操作することにより遊技を進めることができるようになっている。
【００３６】
発射レバー５の裏側には、図示しない発射モータが設けられている。また、発射レバー５の周縁部分には、図示しないタッチセンサが設けられている。このタッチセンサが接触されたときには、遊技者により発射レバー５が握持されたと検知され、発射レバー５が遊技者によって握持され、かつ、時計回り方向へ回動操作されたときには、その回動角度に応じて発射モータに電力が供給され、遊技球が遊技盤２の遊技領域に順次発射される。
【００３７】
なお、発射レバー５に設けられた図示しないタッチセンサは、遊技者が発射レバー５を握持したと判別できるものであればよく、光学的に検知するものや、熱により検知するもの等、センサの種類を問わない。
【００３８】
続いて本実施の形態に係る遊技機１００が上述のような構成を有することにより生じる作用効果について説明する。まず、遊技球が遊技領域を流下し始動入賞口４に入賞して図柄表示装置３が図柄の変動表示を開始する、または、変動表示の結果３つの図柄が同一となり揃う等の事象が発生すると、遊技盤２に設けられている風車等に内蔵されているＬＥＤ等が点灯したり、遊技領域を装飾している各種部材がメロディを発音したりすることにより遊技機１００の遊技を盛り上げる演出が行われる。
【００３９】
このとき、遊技を盛り上げる演出が行われると同時に光源６が発光し、光源６から発光され遊技盤２内部に入射した光が、遊技盤２と光源６の一部を拡大した図４に示すように、遊技盤２内部を透過または内面を反射して、更に、反射板７を反射し遊技盤２の出射面から出射され、遊技盤２の出射面全体から一様な光が出射されて遊技盤２全体が明るくなる演出が行われる。そして、遊技者は、各種部材がメロディを発音する各種部材や風車等の遊技を盛り上げる演出に加えて、遊技盤２の出射面から出射される光を見ることにより、更に遊技を楽しむことができ遊技の演出効果の向上を図ることができる。
【００４０】
また、遊技盤２内部を透過した光が、遊技盤２の正面内側を反射するか又は直接に凹部２１の四角錐の形成面に到達すると、凹部２１の形成面の内側を反射して一様に方向修正され、遊技盤２の出射面の周辺部分の一定の範囲から出射し、更に遊技盤２の出射面の法線方向即ち正面方向のみでなくその周辺から遊技盤２を見ても光が出射されて、遊技を楽しむことができ演出効果の向上を図ることができる。
【００４１】
光源６が発光するときは、遊技を盛り上げる演出が行われると同時に例えば各種部材が発音するメロディに合わせたタイミングで発光することとしても良いし、一定のリズム等のパターンに合わせたタイミングや図柄表示装置３の図柄の変動表示に合わせたタイミングで発光することとしても良い。このようなタイミングで光源６が発光し遊技盤２の出射面から光が出射されることにより、遊技者は光を見て遊技をより楽しむことができる。
【００４２】
また、光源６が複数色の光を発光するＬＥＤである場合には、上述の各種のタイミング毎に合わせて、光源６を構成するＲ、Ｇ、Ｂの各ＬＥＤへ入力される電流値を変化させることによって異なる光を順に発光し、発光された光は遊技盤２の出射面から出射され、或いは各種のタイミングに合わせて異なる光を発光し遊技盤２の出射面から出射されて遊技者は出射される光を見て更に遊技を楽しむことができる。
【００４３】
（他の実施の形態）
以下、本発明を実施するための他の実施の形態について図面を用いて詳細に説明する。図５は、本発明に係る遊技機２００の構成を示す正面図、図６は、遊技機２００の構成を示す側面図である。本発明に係る遊技機２００は、各部品が取り付けられて遊技機２００全体の構成を実現する本体枠４１と、本体枠４１の内側に嵌め込まれ遊技領域を形成する遊技盤４２と、遊技盤４２の下側に設けられ所定の移動範囲内において前後移動を繰り返す移動台４３と、移動台４３から所定の距離をおいて遊技機２００が設置された設置台上にランダムに配置された複数のコイン４４とを備えている。
【００４４】
遊技盤４２は、透明な厚板状のアクリル、ポリカーボネート（ＰＣ）、ＰＥＴ、ＰＭＭＡ等の光透過性に優れたプラスチック材料等の素材の導光板から成る板状部材であって、本体枠４１の内側に嵌め込み図示しない固定機構により本体枠４１の内側に固定されている。遊技盤４２は、図６に示すように、正面上の遊技領域に流下するコインの流下軌道を適宜分散、調整等して案内する突出部４２１、案内板４２２が設けられている。突出部４２１は、遊技盤４２の遊技領域内の所定の箇所を突出させるように成形したものであるが、釘等が打設されていても良い。釘を打設した場合、遊技盤４２は、特に釘を打設し易くさせ、且つ遊技中は当該釘を確実に保持するために多少のエラストマーの如き軟化剤を含んだ構成とされる。本明細書においては、この釘は、広い意味で用いるものであり、例えばネジ、ボス、突設体、その他の遊技球、コイン等を案内する機能を有する部材を含むものとする。
【００４５】
また、遊技盤４２は、上述の遊技盤２と同様に、側部に取り付けられた図示しない光源６０が発光し側部から内部に入射した光が導光板である遊技盤４２内部を透過して、背面側に設けられた反射板７０を反射し出射面、即ち正面から出射するようになっている。
【００４６】
更に、遊技盤４２は、背面に複数の四角錐状の凹部４２３が所定の配列パターンに従って設けられている。これらの凹部４２３は、遊技盤４２の背面を、傾斜面を成すように削り取り４角錐状に穿設して形成されており、例えば、遊技盤４２の背面の所定の箇所を４方向から遊技盤４２の背面に対して傾斜させて傾斜面を成すように削り取り、それらの傾斜面が背面から一定の深さの位置でＡの角度で収束するように穿設して形成されている。角度Ａとしては、６０度等が挙げられる。また、遊技盤４２の背面に複数の凹部４２３が遊技盤４２の平面形状に応じてマトリクス状の配列パターンに従って配列されて設けられている。
【００４７】
光源６０は、遊技盤４２の両側部に設けられ、赤、青、緑、白色等の光を発光する単数または複数のＬＥＤや半導体レーザ、電球、または、複数のＬＥＤを配列したＬＥＤアレイ等の光源であり、発光した光が遊技盤４２の両側部から内部に入射するように発光部分が遊技盤４２の側部に対向または密接するようにして取り付けられている。光源６０は、その発光時に入力される電流値が変化可能に構成されたＬＥＤであり、電流値を変化させることにより発光される光の光量を変化させて複数色の光を発光することができるフルカラーＬＥＤであっても良い。
【００４８】
このようなフルカラーＬＥＤは、例えばＲ（赤）、Ｇ（緑）、Ｂ（青）の三色の光を発光するＬＥＤを備え、それぞれへの電流値が可変抵抗等により実現される電流制御回路で制御され各ＬＥＤが発光する光の光量が変化し、各ＬＥＤ全体から発光される光の混合色が自在に変化して複数色の光を発光することができる（例えば特開平８−２５０７７１号公報参照。）。フルカラーＬＥＤ全体として赤色を発光させたい時は、Ｒ（赤）のＬＥＤのみに通電し、他のＬＥＤには通電しない。全体として緑色あるいは青色を発光させたい時は、同様に、Ｇ（緑）のみあるいはＢ（青）のみに通電する。フルカラーＬＥＤ全体としてその他の色を発光させたい時は、各ＬＥＤへの通電量を制御することにより、３原色の光の混合を行ない、全体として目的の色とする。
【００４９】
なお、このようなフルカラーＬＥＤを光源６０とする場合には、遊技盤４２に用いる導光板を全くの有色透明または無色透明なものでなく、乳白色のプラスチック材料等のように光をぼかす材質のものを用いると、フルカラーＬＥＤで発光される光の混合が良好に行われる。
【００５０】
反射板７０は、遊技盤４２の背面に対応した形状を有しており、白色の顔料が塗布され光反射性が優れており、または、アルミニウム等の光反射性に優れた金属を蒸着したフィルム等により構成されている。遊技盤４２内部に入射した光を反射させて出射面、即ち正面から出射させるようになっている。
【００５１】
移動台４３は、遊技盤４２の下側に設けられた箱状部材であり、例えば遊技機２００が設置された設置台上の図示しないレールとこのレールに沿ってスライド移動可能に嵌合する移動台４３下部の嵌合部とから構成されるスライド機構により所定の移動範囲内において前後に移動可能である。そして、一定の周期毎に自動的に所定の移動範囲内を繰り返し前後に移動する機能を有する。また、後述する投入コイン４５が、移動台４３と移動台４３から所定の距離をおいて遊技機２００が設置された設置台上にランダムに配置された複数のコイン４４との間の隙間５０に介在するように位置したときには、移動台４３が投入コイン４５を介して複数のコイン４４を押し出していき当該設置台の前側から更に押し出された複数のコイン４４のコインが落下口から落下し遊技者に付与するようになっている。
【００５２】
続いて他の実施の形態に係る遊技機２００が上述のような構成を有することにより生じる作用効果について説明する。まず、遊技者が図示しない投入口からコインが投入されると、この投入コイン４５は、遊技盤４２正面上の遊技領域を流下する。そして、投入コイン４５が突出部４２１や案内板４２２に案内され、移動台４３上を転動し移動台４３の前側に落下して、複数のコイン４４と移動台４３との間の隙間５０に位置し、その後、移動台４３が投入コイン４５を介して複数のコイン４４を押し出していき遊技機２００の設置台の前側から複数のコイン４４のコインが落下口から落下する等の事象が発生すると、遊技機２００に内蔵されている発音装置からメロディが発音され、図示しないＬＥＤ等が点灯したりすることにより遊技機２００の遊技を盛り上げる演出が行われる。
【００５３】
このとき、遊技を盛り上げる演出が行われると同時に遊技盤４２の側部に設けられた光源６０が発光し、光源６０から発光され遊技盤４２内部に入射した光が、遊技盤４２内部を透過または内面を反射して、更に、反射板７０を反射し遊技盤４２の出射面から出射され、遊技盤４２からも光が出射されて明るくなる演出が行われる。そして、遊技者は、メロディを発音したりＬＥＤ等が点灯したりする演出に加えて、遊技盤４２の出射面から出射される光を見ることにより、更に遊技を楽しむことができ遊技の演出効果の向上を図ることができる。
【００５４】
また、遊技盤４２内部を透過した光が、遊技盤４２の正面内側を反射するか又は直接に凹部４２３の四角錐の形成面に到達すると、凹部４２３の形成面の内側を反射して一様に方向修正され、遊技盤４２の出射面の周辺部分の一定の範囲から出射し、更に遊技盤４２の出射面の法線方向即ち正面方向のみでなくその周辺から遊技盤４２を見ても光が出射されて、遊技を楽しむことができ演出効果の向上を図ることができる。
【００５５】
光源６０が発光するときは、遊技を盛り上げる演出が行われると同時に例えば発音装置が発音するメロディに合わせたタイミングで発光することとしても良いし、一定のリズム等のパターンに合わせたタイミングやコインが落下口に落下するタイミングで発光することとしても良い。このようなタイミングで光源６０が発光し遊技盤４２の出射面から光が出射されることにより、遊技者は光を見て遊技をより楽しむことができる。
【００５６】
また、光源６０が複数色の光を発光するＬＥＤである場合には、上述の各種のタイミング毎に合わせて異なる光を順に発光し、発光された光は遊技盤４２の出射面から出射され、或いは各種のタイミングに合わせて異なる光を発光し遊技盤４２の出射面から出射されて遊技者は出射される光を見て更に遊技を楽しむことができる。
【００５７】
そして、遊技機２００の設置台の前側の当該落下口から落下した複数のコイン４４のコインは、図示しない落下口をそのまま延設して接続された排出口から排出されて遊技者に景品として付与される。
【００５８】
上述の実施の形態においては、遊技盤２、４２、導光板６６、８６の背面側に反射板７、７０、６８、８８を設けたが、正面側に液晶表示パネルを取り付け、液晶表示パネルが背面側から遊技盤２、４２、導光板６６、８６を通して光が照明されることとしても良い。このような構成により、遊技者は液晶表示パネルに表示された画像が背面側から照明されて映し出されより楽しむことができる。
【００５９】
また、上述の実施の形態においては、遊技盤２自体の全体が導光板を用いて構成されていたが、図７に示すように、これに限られず遊技盤２の全体を遊技領域を形成する、ブナ材、ラワン材、ブナ合板などの合成板、ベニヤ材、マトア材などの各種の材質の木材等の板状部材の遊技盤６５としておき、その遊技盤６５上の所望の一部の単数または複数の領域を導光板６６およびその側部に設けられた光源６７、反射板６８により構成しても良い。このような構成により、その所望の領域において導光板６６の出射面から光が出射され、遊技者は光を見て遊技を楽しむことができる。遊技盤４２も同様の構成としても良い。
【００６０】
更に、図９に示すように、遊技盤２の全体を木材等の板状部材の遊技盤８５としておき、そのうちの所望の一部の単数または複数の領域を、アニメのキャラクター等の絵柄の形状を有する導光板８６およびその側部に設けられた光源８７、反射板８８により構成しても良い。このような構成により、その所望の領域において導光板８６の出射面から光が出射され、遊技者は光を見て遊技を楽しむことができる。遊技盤４２も同様の構成としても良い。
【００６１】
遊技盤２、４２、導光板６６、８６の背面側には、それぞれ反射板７、７０、６８、８８を設けるのではなく、代わりにアニメのキャラクター等の絵柄を描いた図面やフィルタ等を貼り付けることとしても良い。このような構成により、光源６、６７、８７が発光し遊技盤２、４２、導光板６６、８６の出射面から光が出射されたときには、その絵柄が照らし出されて遊技者はこれを見てより遊技を楽しむことができる。
【００６２】
また、上述の実施の形態においては、遊技盤２が導光板および光源、反射板を備えることとしたが、これに限られず始動入賞口４の表面、本体枠１の正面、発射レバー５の表面上に設けることとしても良い。
【００６３】
遊技盤２の遊技領域内に単数または複数の風車ユニットを設け、風車ユニットに導光板、光源、反射板を備えることとしても良い。風車ユニットは、例えば円筒形状の本体部と、その本体部の半径方向に伸びる複数の羽根を備えた、本体部の周囲に内周面が嵌め込まれた円筒形状から成り、本体部の周囲を遊技領域内を流下した遊技球の衝突により回転力が加えられて回転する回転部とから構成されている。本体部の円筒形状の内面には円板状の導光板が取り付けられ、この導光板の側部と背面側に光源と反射板とが設けられている。そして、遊技を盛り上げる演出が行われると、この光源が発光し、更に導光板内部を透過し反射板を反射して導光板の出射面から出射して、遊技者はより楽しむことができる。
【００６４】
また、上述の実施の形態においては、釘８は、例えば鉄等の金属製の釘を用いて遊技盤２の遊技領域内に打ち込んでいることとなっているが、これに限られず釘８を用いずに代わりに、遊技領域内の釘８が打ち込まれた箇所を遊技盤２の正面から垂直に突出するように針状の突出部を形成するように遊技盤２を成形しても良い。このような構成により、遊技盤２の内部を透過した光が遊技盤２の出射面だけでなく、この突出部の形成面からも出射し、より面白味のある演出を行うことができる。
【００６５】
上述の実施の形態において、本体枠１を、図１１に示すように、遊技盤２を嵌め込み一体構成とするための開口部分以外の正面側表面の領域の全て又は一部を導光板１１０と、その背面に貼り付けられた反射板１１１とにより構成し、その導光板１１０の周囲、即ち本体枠１外縁部分に沿って各種類の色の光を発光する複数のＬＥＤである光源１１２を配列させて内蔵して本体枠１１３としても良い。外縁部分に沿って内蔵された光源１１２が発光すると、本体枠１１３の導光板１１０の内部を透過して出射光がその正面側から出射して遊技盤２の周囲が出射光により装飾されて飾り立てられ、より面白味のある演出を行うことができる。
【００６６】
上述の実施の形態における遊技盤２が導光板および光源６、反射板７を備えた構成は、複数の回転リール１２１を横方向に並列し、これらの回転リールの表面に絵柄を表示させ各回転リールを回転させて絵柄を移動表示させるようにし、複数の回転リールの上方に液晶表示パネル１２２が設けられたスロット式の遊技機に利用することも可能であり、図１２に示すように、このスロット式の遊技機１２４の回転リール１２１、液晶表示パネル１２２の周囲等の全て又は一部が導光板１２３およびこの導光板１２３の周囲を囲むようにして遊技機１２４前面枠の外縁部分に沿って配列され内蔵された各種類の色の光を発光する複数のＬＥＤである光源１２５、導光板１２３の背面側に貼り付けられた反射板１２６を備えることにより遊技者は導光板の出射面から出射する光を見て遊技を楽しむことができる。また、遊技領域を形成する遊技盤を備えた、例えばピンボールゲーム機等を含む遊技機全般においても同様に利用することが可能である。
【産業上の利用可能性】
【００６７】
遊技領域を形成し、遊技媒体の流下軌道を案内する釘若しくは突出部が正面上の所定の箇所に配設された遊技盤の正面上を遊技媒体が流下する遊技機において利用することが可能である。
【図面の簡単な説明】
【００６８】
【図１】本発明に係る遊技機の構成を示す説明図である。
【図２】本発明に係る遊技機の遊技盤の構成を示す説明図である。
【図３】本発明に係る遊技機の遊技盤の構成を示す側面図である。
【図４】本発明に係る遊技機の遊技盤の出射面から光がする様子を示す説明図である。
【図５】本発明に係る遊技機の構成を示す説明図である。
【図６】本発明に係る遊技機の構成を示す側面図である。
【図７】本発明に係る遊技機の遊技盤の構成を示す説明図である。
【図８】本発明に係る遊技機の遊技盤の他の構成を示す説明図である。
【図９】本発明に係る遊技機の遊技盤の更に他の構成を示す説明図である。
【図１０】本発明に係る遊技機の遊技盤の構成を示す説明図である。
【図１１】本発明に係る遊技機の本体枠の他の構成を示す説明図である。
【図１２】本発明に係るスロット式の遊技機の構成を示す説明図である。
【符号の説明】
【００６９】
１、４１、１１３  本体枠
２、４２、６５、８５  遊技盤
３  図柄表示装置
４  始動入賞口
５  発射レバー
６、６０、６７、８７、１１２  光源
７、７０、１１１  反射板
８  釘
２１、４２３  凹部
４３  移動台
４４  コイン
４５  投入コイン
５０  隙間
６６、８６、１１０、１２３  導光板
１００、１２４、２００  遊技機
１２１  回転リール
１２２  液晶表示パネル
４２１  突出部
４２２  案内板
【図１】
2007014607.tif 000003
【図２】
2007014607.tif 000004
【図３】
2007014607.tif 000005
【図４】
2007014607.tif 000006
【図５】
2007014607.tif 000007
【図６】
2007014607.tif 000008
【図７】
2007014607.tif 000009
【図８】
2007014607.tif 000010
【図９】
2007014607.tif 000011
【図１０】
2007014607.tif 000012
【図１１】
2007014607.tif 000013
【図１２】
2007014607.tif 000014